(57)【要約】【課題】  ＥＩＡ−３１０規格及びＯＣＰ規格の双方のラックをシャーシを適合できるアダプタ機構を含むラックシステムを提供すること。【解決手段】  ラックシステムはラック、第１のアダプタ機構及び第２のアダプタ機構を含む。ラックは第１の側及び第２の側を有する。該第１の側と該第２の側との間に第１の幅が定義される。第１のアダプタ機構は前記ラックの第１の側に着脱可能に取り付けられる。第２のアダプタ機構は前記ラックの第２の側に着脱可能に取り付けられる。前記第１のアダプタ機構と該第２のアダプタ機構との間に第２の幅が定義される。該第２の幅は前記第１の幅よりも小さい。【選択図】  図２
2018174345.tif 000002
【特許請求の範囲】
【請求項１】
第１の側及び第２の側を有するラックであって、該第１の側の内面と該第２の側の内面との間に第１の幅が定義される、ラックと、
前記ラックの第１の側に着脱可能に取り付けられる第１のアダプタ機構と、
前記ラックの第２の側に着脱可能に取り付けられる第２のアダプタ機構であって、前記第１のアダプタ機構と該第２のアダプタ機構との間に第２の幅が定義され、該第２の幅は前記第１の幅よりも小さい、第２のアダプタ機構と、
前記第１のアダプタ機構に取り付けられる第１のスライドレール組立体と、
前記第２のアダプタ機構に取り付けられる第２のスライドレール組立体と、
前記第１のスライドレール組立体及び前記第２のスライドレール組立体に取り付けられるシャーシと、
を含むラックシステム。
【請求項２】
前記第１のアダプタ機構は第１のベース及び第２のベースを含み、
前記第１のベースは第１のサイドプレートと、該第１のサイドプレートに実質的に垂直に連結される第１のエンドプレートとを含み、
前記第１のエンドプレートは前記第１のスライドレール組立体の一部を取り付けるように構成された複数の第１の取り付け孔を有し、
前記第２のベースは第２のサイドプレート及び第２のエンドプレートを含み、該第２のエンドプレートは前記第１のベースの第１のエンドプレートに対応し、
前記第２のエンドプレートは、前記第１のスライドレール組立体の別の部分を取り付けるように構成された複数の第２の取り付け孔を有し、
前記ラックは、前記ラックの第１の側に設けられる複数の第１の取り付け部、複数の第２の取り付け部及び複数の第３の取り付け部を有する、請求項１に記載のラックシステム。
【請求項３】
前記第１のアダプタ機構は前記第１のベースと前記第２のベースとの間で延在するように連結される支持体をさらに含む、請求項２に記載のラックシステム。
【請求項４】
前記第１のベースに取り付けられる固定部材をさらに含み、
前記固定部材は弾性部及び係合部を含み、
前記弾性部は弾性力を提供するように構成され、
前記係合部は前記弾性部の弾性力に反応して前記ラックの第１の取り付け部のうちの１つと係合するように構成されている、請求項２に記載のラックシステム。
【請求項５】
前記支持体は支持突起を含み、該支持突起は前記ラックの第２の取り付け部のうちの１つと係合するように構成されている、請求項３に記載のラックシステム。
【請求項６】
前記第２のベースの第２のサイドプレートは前記ラックの第３の取り付け部のうちの２つと係合するように構成されている、請求項２に記載のラックシステム。
【請求項７】
前記第２の幅はＥＩＡ−３１０規格の幅の要件を満たす、請求項１に記載のラックシステム。
【請求項８】
前記第１のエンドプレートの複数の第１の取り付け孔間の間隔及び前記第２のエンドプレートの複数の第２の取り付け孔間の間隔はＥＩＡ−３１０規格の孔の間隔の要件を満たす、請求項２に記載のラックシステム。
【請求項９】
第１の側及び第２の側を有するラックであって、該第１の側の内面と該第２の側の内面との間に第１の幅が定義される、ラックと、
前記ラックの第１の側に着脱可能に取り付けられる第１のアダプタ機構と、
前記ラックの第２の側に着脱可能に取り付けられる第２のアダプタ機構であって、前記第１のアダプタ機構と該第２のアダプタ機構との間に第２の幅が定義され、該第２の幅は前記第１の幅よりも小さい、第２のアダプタ機構と、
を含むラックシステムであって、
前記第２の幅はＥＩＡ−３１０規格の幅の要件を満たす、ラックシステム。
【請求項１０】
前記第１のアダプタ機構は第１のスライドレール組立体を取り付けるように構成され、前記第２のアダプタ機構は第２のスライドレール組立体を取り付けるように構成されている、請求項９に記載のラックシステム。
【発明の詳細な説明】
【技術分野】
【０００１】
本発明はレール取り付けアダプタ組立体（rail  mounting  adaptor  assembly）に関し、より具体的にはラックのためのレール取り付けアダプタ組立体に関する。
【背景技術】
【０００２】
一般に、ラックシステム（又はキャビネットシステム）は複数のポストを通常含む。各ポストは丸い孔又は正方形の孔等の複数の取り付け孔を有する。ポスト間の距離や各ポストの取り付け孔間の間隔は関連する規格によって定められている。例えば、米国電子工業会（Electronic  Industries  Association）のＥＩＡ−３１０規格は、ラック（又はキャビネット）の左側及び右側の２つのポストの間の幅が１９インチ（４８２．６ｍｍ）と規定する。この幅により、シャーシ（又は電子機器、情報機器等）をラックに収容できる。ＥＩＡ−３１０規格ではポストの取り付け孔の配列についても規定する。３つの取り付け孔毎にラックユニット（rack  unit）とみなされる。各ラックユニットの垂直寸法は１．７５０インチ（４４．４５ｍｍ）に等しく、ラックユニットの取り付け孔の間の垂直方向の孔間隔は０．６２５インチ（１５．９ｍｍ）である。
【０００３】
図１を参照して、図１は、ラック（又はキャビネト）１０の両側にある２つのポスト１２ａ、１２ｂの間のＥＩＡ−３１０仕様の幅Ｗを示す。幅Ｗにより、シャーシ１４をラック１０に収容できる。一般に、シャーシ１０の右側及び左側は一対のスライドレール組立体１６ａ、１６ｂを通じてラックの両側のポスト１２ａ、１２ｂに取り付けられる。
【０００４】
情報技術の急速は発展に伴い、シャーシの寸法（幅寸法等）はより多くの電子機器又は関連部品を収容できるように大きくなっている。したがって、より大きなシャーシを収容するためには、２つのポストの間の幅がＥＩＡ−３１０規格（EIA-310  specification）により規定される幅よりも大きなラック（又はキャビネット）を提供することが重要である。
【０００５】
特許文献１にはオープンブリッジラック（open  bridging  rack）が開示されている。特許文献１の背景技術には、オープンラックとして知られる機器用のラックための仕様を含むオープンラック規格がオープンコンピュートプロジェクト（open  compute  project）（ＯＣＰ）によって提供されていることが開示されている。ＯＣＰ準拠のラックは、より幅広のＩＴ機器を取り付けるために約２１インチ（５３８ｍｍ）の開口を提供する。さらに、ＯＣＰ準拠のラック及びＥＩＡ準拠のラックはそれらの規格が異なるために互換性がない。
【０００６】
さらに、特許文献１によれば、オープンブリッジラックの利点は、標準的なＥＩＡ１９インチラックデザインと発展途上のＯＣＰオープンラックデザインとの間のギャップを埋めることができる、ある規格から別の規格に変換する能力を持った１つの機器用ラックを提供できることである。オープンブリッジラックは一対の前側取り付けレール１０１ｆ、１０２ｆ及び一対の後ろ側取り付けレール１０１ｒ、１０２ｒを提供する。各取り付けレール（前側取り付けレール１０１ｆを例に取ると）は第１の平面（３０１）、第２の平面（３０２）、第３の平面（３０３）及び第４の平面（３０４）を有する。第１の複数の機器取り付け開口（３０６）は第１の平面（３０１）に配置されるともにＥＩＡ規格に準拠する。他方、第２の機器取り付け開口（３０１ａ〜３１０ｄ）は第３の平面（３０３）及び第４の平面（３０４）に形成されるともにＯＣＰ規格に準拠する。
【先行技術文献】
【特許文献】
【０００７】
【特許文献１】米国特許第９１３１７６９号明細書
【発明の概要】
【発明が解決しようとする課題】
【０００８】
双方の規格のラックにシャーシを適合させるアダプタ機構を提供することが明らかに重要である。
【課題を解決するための手段】
【０００９】
本発明はラックのためのレール取り付けアダプタ組立体を提供する。
【００１０】
本発明の実施形態によれば、レール取り付けアダプタ組立体はラックに取り付けられるように構成されている。該ラックは、該ラックの一方側に配置される複数の第１の取り付け部（mounting  features）及び複数の第２の取り付け部を有する。当該レール取り付けアダプタ組立体は第１のベース及び第２のベースを含む。第１のベースは第１のサイドプレートと、該第１のサイドプレートに実質的に垂直に連結される第１のエンドプレートとを含む。該第１のサイドプレートは前記ラックの一方側の第１の位置に着脱可能に取り付けられる。該第１のエンドプレートは複数の第１の取り付け孔を有する。第２のベースは第２のサイドプレート及び第２のエンドプレートを含む。該第２のサイドプレートは前記ラックの一方側の第２の位置に着脱可能に取り付けられる。該第２のエンドプレートは前記第１のベースの第１のエンドプレートに対応する。該第２のエンドプレートは複数の第２の取り付け孔を有する。
【００１１】
前記レール取り付けアダプタ組立体は、前記第１のベースと前記第２のベースとの間で延在するように連結される（extendedly  connected）支持体をさらに含むことが好ましい。
【００１２】
前記レール取り付けアダプタ組立体は、前記第１のベースに取り付けられる固定部材をさらに含むことが好ましい。前記固定部材は弾性部及び係合部を含む。前記弾性部は弾性力を提供するように構成されている。前記係合部は、前記弾性部の弾性力に反応して前記ラックの一方側の第１の取り付け部のうちの１つと係合するように構成されている。
【００１３】
前記支持体は支持突起を含むことが好ましい。該支持突起は前記ラックの一方側の第２の取り付け部のうちの１つと係合するように構成されている。
【００１４】
前記ラックは前記ラックの一方側に配置される複数の第３の取り付け部をさらに有することが好ましい。前記第２のベースの第２のサイドプレートは前記ラックの一方側の第３の取り付け部のうちの２つと係合するように構成されている。
【００１５】
前記支持体は補助突起を含むことが好ましい。該補助突起は前記ラックの一方側の第１の取り付け機構のうちの１つと係合するように構成されている。
【００１６】
本発明の別の実施形態によれば、ラックシステムはラック、第１のアダプタ機構、第２のアダプタ機構、第１のスライドレール組立体、第２のスライドレール組立体及びシャーシを含む。ラックは第１の側及び第２の側を有する。該第１の側の内面と該第２の側の内面との間に第１の幅が定義される。第１のアダプタ機構は前記ラックの第１の側に着脱可能に取り付けられる。第２のアダプタ機構は前記ラックの第２の側に着脱可能に取り付けられる。前記第１のアダプタ機構と該第２のアダプタ機構との間に第２の幅が定義される。該第２の幅は前記第１の幅よりも小さい。第１のスライドレール組立体は前記第１のアダプタ機構に取り付けられる。第２のスライドレール組立体は前記第２のアダプタ機構に取り付けられる。シャーシは前記第１のスライドレール組立体及び前記第２のスライドレール組立体に取り付けられる。
【００１７】
前記第１のアダプタ機構は第１のベース及び第２のベースを含むことが好ましい。前記第１のベースは第１のサイドプレートと、該第１のサイドプレートに実質的に垂直に連結される第１のエンドプレートとを含む。前記第１のエンドプレートは前記第１のスライドレール組立体の一部を取り付けるように構成された複数の第１の取り付け孔を有する。前記第２のベースは第２のサイドプレート及び第２のエンドプレートを含む。該第２のエンドプレートは前記第１のベースの第１のエンドプレートに対応する。前記第２のエンドプレートは、前記第１のスライドレール組立体の別の部分を取り付けるように構成された複数の第２の取り付け孔を有する。前記ラックは、前記ラックの第１の側に設けられる複数の第１の取り付け部、複数の第２の取り付け部及び複数の第３の取り付け部を有する。
【００１８】
前記ラックシステムは前記第１のベースと前記第２のベースとの間で延在するように連結される支持体をさらに含むことが好ましい。
【００１９】
前記ラックシステムは前記第１のベースに取り付けられる固定部材をさらに含むことが好ましい。前記固定部材は弾性部及び係合部を含む。前記弾性部は弾性力を提供するように構成されている。前記係合部は前記弾性部の弾性力に反応して前記ラックの第１の取り付け部のうちの１つと係合するように構成されている。
【００２０】
前記支持体は支持突起を含むことが好ましい。該支持突起は前記ラックの第２の取り付け部のうちの１つと係合するように構成されている。
【００２１】
前記第２のベースの第２のサイドプレートは前記ラックの第３の取り付け部のうちの２つと係合するように構成されていることが好ましい。
【００２２】
前記第２の幅はＥＩＡ−３１０規格の幅の要件を満たすことが好ましい。
【００２３】
前記第１のエンドプレートの複数の第１の取り付け孔間の間隔及び前記第２のエンドプレートの複数の第２の取り付け孔間の間隔はＥＩＡ−３１０規格の孔の間隔の要件を満たすことが好ましい。
【００２４】
本発明のさらに別の実施形態によれば、ラックシステムはラック、第１のアダプタ機構及び第２のアダプタ機構を含む。ラックは第１の側及び第２の側を有する。該第１の側の内面と該第２の側の内面との間に第１の幅が定義される。第１のアダプタ機構は前記ラックの第１の側に着脱可能に取り付けられる。第２のアダプタ機構は前記ラックの第２の側に着脱可能に取り付けられる。前記第１のアダプタ機構と該第２のアダプタ機構との間に第２の幅が定義される。該第２の幅は前記第１の幅よりも小さい。前記第２の幅はＥＩＡ−３１０規格の幅の要件を満たす。
【００２５】
様々な図面に図示する下記の好ましい実施形態の詳細な説明を読み終えた後、本発明の上記の目的及び他の目的が当業者に間違いなく明らかになる。
【図面の簡単な説明】
【００２６】
【図１】図１は、先行技術のラックシステムを示す図である。
【図２】図２は、本発明の一実施形態に係るラックシステムを示す図である。
【図３】図３は、本発明の一実施形態に係るレール取り付けアダプタ組立体、スライドレール組立体及びラックの分解図である。
【図４】図４は、本発明の一実施形態に係るレール取り付けアダプタ組立体、スライドレール組立体及びラックの組立図である。
【図５】図５は、本発明の一実施形態に係る、ラックに取り付けられるように構成された固定部材の係合部及び伸長部を示す図である。
【図６】図６は、本発明の一実施形態に係る第１のアダプタ機構及び第２のアダプタ機構を通じてラックに取りつけられたシャーシを示す図である。
【図７】図７は、本発明の一実施形態に係る、一対のスライドレール組立体を通じてラックの外に出されたシャーシを示す図である。
【図８】図８は、本発明の別の実施形態に係る、ラックに取りつけられたレール取り付けアダプタ組立体を示す図である。
【図９】図９は、図８の領域Ａの拡大図である。
【発明を実施するための形態】
【００２７】
図２に示すように、ラックシステムはラック２０、第１のアダプタ機構２２及び第２のアダプタ機構２４を含む。ラックシステムは、第１のスライドレール組立体２６、第２のスライドレール組立体（視野角により図２には図示せず）及びシャーシ３０をさらに含むことが好ましい。ラック２０は、ラック内の機器にユーザーが容易にアクセスできるオープンラック（ＯＣＰ準拠ラック）である。
【００２８】
図３及び図４に示すように、ラック２０は、ラック２０の第１の側Ｓ１に複数の第１の取り付け部３２及び複数の第２の取り付け部３４を有する。ラック２０は複数の第３の取り付け部３６をさらに有することが好ましい。第１の取り付け部３２、第２の取り付け部３４及び第３の取り付け部３６は、ラック２０の少なくとも１つのポスト（又は少なくとも１つの壁部）にそれぞれ配置されている。本実施形態では、第１の取り付け部３２が第１のポストに配置され、第２の取り付け部３４及び第３の取り付け部３６が第２のポストに配置されているが、本発明はこのような構成に限定されない。
【００２９】
第１のアダプタ機構２２はラック２０の第１の側Ｓ１に着脱可能に取り付けられる。具体的には、第１のアダプタ機構２２は第１のベース３８及び第２のベース４０を含む。第１のアダプタ機構２２は、第１のベース３８と第２のベース４０との間で延在するように連結される支持体４２をさらに含むことが好ましい。第１のベース３８、第２のベース４０及び支持体４２をレール取り付けアダプタ組立体と見なすことができる。
【００３０】
第１のベース３８は第１のサイドプレート４４と、第１のサイドプレート４４に実質的に垂直に連結される第１のエンドプレート４６とを含む。第１のサイドプレート４４は、ラック２０の第１の側Ｓ１の第１の位置で着脱可能に取り付けられている。本実施形態では、複数の第１の取り付け部３２は第１の孔４７ａ、第２の孔４７ｂ及び第３の孔４７ｃで構成される。第１の孔４７ａ、第２の孔４７ｂ及び第３の孔４７ｃのそれぞれは周囲に孔壁４９を有するが、本発明はこのような構成に限定されない。レール取り付けアダプタ組立体は第１のベース３８に取り付けられる固定部材４８をさらに含むことが好ましい。第１のベース３８の第１のサイドプレート４４は、固定部材４８を通じて第１の孔４７ａ及び第２の孔４７ｂに着脱可能に取り付けることができる。例えば、固定部材４８は弾性部５０、第１の係合部５２ａ及び第２の係合部５２ｂを含む。第１の係合部５２ａ及び第２の係合部５２ｂのそれぞれは弾性部５０に連結されている。弾性部５０は弾性力を提供するように構成されている。第１の係合部５２ａ及び第２の係合部５２ｂは、弾性部５０の弾性力に反応してそれぞれラック２０の第１の側Ｓ１と係合する。例えば、第１の係合部５２ａ及び第２の係合部５２ｂは、それぞれ第１の孔４７ａ及び第２の孔４７ｂを貫通して対応する孔壁４９と係合するように構成されている（図５参照）。固定部材４８は弾性部５０に連結されるとともに弾性部５０に対して突出する伸長部５１をさらに含むことが好ましい。伸長部５１は、弾性部５０の弾性力に反応してラック２０の第１の側Ｓ１にある第３の孔４７ｃに取り付けられるように構成されている。それに加えて、支持体４２は、孔のうちの１つ（第３の孔４７ｃ）を貫通して対応する孔壁４９と係合するように構成された補助突起５３を含む。固定部材４８は弾性部５０に対して傾斜した操作部５４をさらに含む。ユーザーは操作部５４に力を加えて、弾性部５０がその力に反応して第１の係合部５２ａ、第２の係合部５２ｂ及び伸長部５１をラック２０の第１の側Ｓ１にある孔（４７ａ、４７ｂ及び４７ｃ）から外すように弾性部５０をさらに操作することができる。他方、複数の第１の取り付け孔５６は第１のエンドプレート４６に形成されている。
【００３１】
第２のベース４０は第２のサイドプレート５８及び第２のエンドプレート６０を含む。本実施形態では、第２のエンドプレート６０は第２のサイドプレート５８に実質的に垂直に連結されている。さらに、第２のサイドプレート５８はラック２０の第１の側Ｓ１の第２の位置で着脱可能に取り付けられている（例えば、第１の側Ｓ１の第３の取り付け部３６に着脱可能に取り付けられる）。本実施形態では、複数の第３の取り付け部３６は複数の突起３７で構成されるが、本発明はこのような構成に限定されない。第２のサイドプレート５８は第３の取り付け部３６のうちの２つの間で係合されるように構成されている。他方、第２のエンドプレート６０は第１のベース３８の第１のエンドプレート４６に対応する。複数の第２の取り付け孔６２は第２のエンドプレート６０に形成されている。第２のエンドプレート６０の複数の第２の取り付け孔６２間の間隔及び第１のエンドプレート４６の複数の第１の取り付け孔５６間の間隔はＥＩＡ−３１０規格の孔の間隔の要件を満たすことが好ましい。ＥＩＡ−３１０規格は先行技術の明細書に開示されているため、簡略化のためにそれについてのさらなる説明は省略する。
【００３２】
支持体４２は支持突起６４を含むことが好ましい。支持突起６４はラック２０の第１の側Ｓ１の第２の取り付け部３４のうちの１つと係合するように構成されている。本実施形態では、複数の第２の取り付け部３４は複数の支持孔で構成され、各支持孔は周辺に孔壁６５を有するが、本発明はこのような構成に限定されない。支持体４２の支持突起６４は支持孔のうちの１つを貫通して対応する孔壁６５と係合するように構成されている。
【００３３】
第１のスライドレール組立体２６は第１のアダプタ機構２２に取り付けられるように構成されている。第１のスライドレール組立体２６は第１のレール６６と、第１のレール６６に対して可動な第２のレール６８とを含む。具体的には、第１のレール６６の２つの部分（例えば前部及び第２の部分）は、それぞれ第１のブラケット７０及び第２のブラケット７２を通じて第１のアダプタ機構２２の第１の取り付け孔５６及び第２の取り付け孔６２に取り付けられるように構成されている。
【００３４】
図６に示すように、第１のアダプタ機構２２はラック２０の第１の側Ｓ１に着脱可能に取り付けられている。第２のアダプタ機構２４はラック２０の第２の側Ｓ２に着脱可能に取り付けられている。シャーシ３０は、第１のスライドレール組立体２６及び第２のスライドレール組立体２８を通じてそれぞれ第１のアダプタ機構２２及び第２のアダプタ機構２４に取り付けることができる。ラック２０の第２の側Ｓ２の構成はラック２０の第１の側Ｓ１の構成と同一であり、第２のアダプタ機構２４の構成は第１のアダプタ機構２２の構成と同一であり、第２のスライドレール組立体２８の構成は第１のスライドレール組立体２６の構成と同一であるため、簡略化のために、ラック２０の第２の側Ｓ２、第２のアダプタ機構２４及び第２のスライドレール組立体２８の構成についての説明は省略する。シャーシ３０は第１のスライドレール組立体２６及び第２のスライドレール組立体２８の第２のレール６８に取り付けられることが好ましい。
【００３５】
さらに、上記のラックシステムでは、ラック２０の第１の側Ｓ１の内面とラック２０の第２の側Ｓ２の内面との間で第１の幅Ｗ１が定義されている。他方、第１のアダプタ機構２２と第２のアダプタ機構２４との間で第２の幅Ｗ２が定義されている。例えば、第１のアダプタ機構２２の第１のエンドプレート４６と第２のアダプタ機構２４の第１のエンドプレート４６との間に第２の幅Ｗ２が定義されている（又は第１のアダプタ機構２２の第２のエンドプレート６０と第２のアダプタ機構２４の第２のエンドプレート６０との間に第２の幅Ｗ２が定義されている）。第２の幅Ｗ２は第１の幅Ｗ１よりも小さい。第２の幅Ｗ２はＥＩＡ−３１０規格の幅の要件を満たすことが好ましい。
【００３６】
そのため、幅が第１の幅Ｗ１の場合、ラック２０にシャーシ３０（ＥＩＡ−３１０準拠シャーシ等）を収容することができない。したがって、ラック２０の第１の側Ｓ１及び第２の側Ｓ２の第１のアダプタ機構２２及び第２のアダプタ機構２４のそれぞれを取り付けることにより、第１のアダプタ機構２２と第２のアダプタ機構２４との間の第２の幅Ｗ２によってラックにシャーシ３０を収容することができる。
【００３７】
図７に示すように、シャーシ３０は第１のスライドレール組立体２６及び第２のスライドレール組立体２８のそれぞれの第２のレール６８を第１のレール６６に対して動かすことにより第１の方向Ｄ１に沿ってラック２０の外に出すことができるか又はシャーシ３０は第２の方向（第１の方向Ｄ１と反対の方向）に沿って引っ込めてラック２０内に移動させることができる。
【００３８】
図８は、本発明の別の実施形態に係るラックシステムを示す図である。具体的には、第１のベース３８、第２のベース４０及び支持体４２を含む第１のアダプタ機構２２とは異なり、本実施形態の第１のアダプタ機構（又は第２のアダプタ機構）は第１のベース２０２及び第２のベース２０４を含む。第１のベース２０２及び第２のベース２０４はレール取り付けアダプタ機構と見なすことができる。
【００３９】
さらに、第１のベース２０２は第１のサイドプレート２０６と、第１のサイドプレート２０６に実質的に垂直に連結される第１のエンドプレート２０８とを含む。第１のサイドプレート２０６はラック２００の一方側の第１の取り付け部２１０のうちの１つに着脱可能に取り付けられている。例えば、第１のサイドプレート２０６は第１の固定部材２１２を通じてラック２００の一方側の第１の取り付け部２１０のうちの１つに取り付けられるように構成されている。本実施形態では、第１の取り付け部２１０は第１の固定部材２１２が貫通できるように構成された固定孔で構成される。他方、複数の第１の取り付け孔２１４が第１のエンドプレート２０８に形成されるとともに、第１のスライドレール組立体の一部を取り付けられるように構成されている。
【００４０】
第２のベース２０４は第２のサイドプレート２１６及び第２のエンドプレート２１８を含む。第２のサイドプレート２１６はラック２００の一方側の第３の取り付け部２２０のうちの１つの着脱可能に取り付けられている。例えば、第２のサイドプレート２１６は第２の固定部材２２２を通じてラック２００の一方側の第３の取り付け部２２０のうちの１つに取り付けることができる（図９も参照）。本実施形態では、第３の取り付け部２２０は第２の固定部材２２２が貫通できるように構成された固定孔で構成される。他方、第２のエンドプレート２１８は第１のベース２０２の第１のエンドプレート２０８に対応する。複数の第２の取り付け孔２２４は第２のエンドプレート２１８に形成されるとともに、第１のスライドレール組立体の別の部分を取り付けるように構成されている。
【００４１】
当業者であれば、本発明の教示を維持しながら多くの変更及び改良が装置及び方法に加えられ得ることに容易に気付く。したがって、上記の開示は、添付の請求項の範囲によってのみ限定されると解釈すべきである。
【符号の説明】
【００４２】
１０  ラック
１２ａ、１２ｂ  ポスト
１４  シャーシ
１６ａ、１６ｂ  スライドレール組立体
２０  ラック
２２  第１のアダプタ機構
２４  第２のアダプタ機構
２６  第１のスライドレール組立体
２８  第２のスライドレール組立体
３０  シャーシ
３２  第１の取り付け部
３４  第２の取り付け部
３６  第３の取り付け部
３８  第１のベース
４０  第２のベース
４２  支持体
４４  第１のサイドプレート
４６  第１のエンドプレート
４７ａ、４７ｂ、４７ｃ  孔
４８  固定部材
４９  孔壁
５０  弾性部
５１  伸長部
５２ａ、５２ｂ  係合部
５３  補助突起
５４  操作部
５６  第１の取り付け孔
５８  第２のサイドプレート
６０  第２のエンドプレート
６２  第２の取り付け孔
６４  支持突起
６５  孔壁
６６  第１のレール
６８  第２のレール
７０  第１のブラケット
７２  第２のブラケット
【図１】
2018174345.tif 000003
【図２】
2018174345.tif 000004
【図３】
2018174345.tif 000005
【図４】
2018174345.tif 000006
【図５】
2018174345.tif 000007
【図６】
2018174345.tif 000008
【図７】
2018174345.tif 000009
【図８】
2018174345.tif 000010
【図９】
2018174345.tif 000011